【事件の表示】
　特許第５８６２９８８号発明「積層フィルムおよび包装体」の特許異議申立事件について、次のとおり決定する。
【結　論】
　特許第５８６２９８８号の特許請求の範囲を訂正請求書に添付された訂正特許請求の範囲のとおり、訂正後の請求項〔１−４〕について訂正することを認める。
　特許第５８６２９８８号の請求項１、３ないし４に係る特許を維持する。
　特許第５８６２９８８号の請求項２に係る特許についての特許異議の申立てを却下する。
【理　由】
１．手続の経緯
　特許第５８６２９８８号の請求項１ないし４に係る特許についての出願は、平成２２年８月４日の特許出願の一部を、平成２６年１０月２２日に新たな特許出願としたものであり、平成２８年１月８日にその特許権の設定登録がされた。
　その後、その特許について、特許異議申立人中西恒裕により特許異議の申立てがされ、平成２８年１０月１９日付けで取消理由が通知され、その指定期間内である平成２８年１２月２２日に意見書の提出及び訂正の請求があり、その訂正の請求に対して特許異議申立人から平成２９年２月１５日に意見書が提出された。
２．訂正の適否についての判断
（１）訂正の内容
　本件訂正請求による訂正の内容は以下のとおりである。
ア　請求項１の「酸素吸収性樹脂（ただし、共役ジエン重合体環化物を除く。）と、酸素吸収反応触媒とを含む酸素吸収層と、」を「酸素吸収性樹脂（ただし、共役ジエン重合体環化物を除く。）と、ステアリン酸亜鉛、ステアリン酸コバルト、ナフテン酸コバルト、ナフテン酸亜鉛、アセチルアセトナート亜鉛、アセチルアセトナートコバルトまたはアセチルアセトナート銅である酸素吸収反応触媒とを含む酸素吸収層と、」に訂正する。
イ　請求項１の「前記酸素吸収反応触媒は、前記酸素吸収層に対して重量比率で１００ｐｐｍ以上５０００ｐｐｍ以下含有され、」を「前記酸素吸収反応触媒は、前記酸素吸収層に対して重量比率で５００ｐｐｍ以上５０００ｐｐｍ以下含有され、」に訂正する。
ウ　請求項２を削除する。
エ　請求項３の「請求項１または２に記載の」を「請求項１に記載の」に訂正する。
オ　請求項４の「請求項１〜３のいずれか１項に記載の」を「請求項１または３に記載の」に訂正する。
（２）訂正の目的の適否、新規事項の有無、及び特許請求の範囲の拡張・変更の存否、一群の請求項
　上記アの訂正事項に関し、明細書の段落００３１には「酸素吸収反応触媒としては、ステアリン酸亜鉛、ステアリン酸コバルト、ナフテン酸コバルト、ナフテン酸亜鉛、アセチルアセトナート亜鉛、アセチルアセトナートコバルトまたはアセチルアセトナート銅などの遷移金属触媒などが用いられる。」との記載がある。
　上記イの訂正事項に関し、明細書の段落００１１には「酸素吸収反応触媒は、酸素吸収層に対して重量比率で５００ｐｐｍ以上５０００ｐｐｍ以下含有される。」との記載がある。
　ア、イの訂正は、明細書に記載された事項の範囲内において、「酸素吸収反応触媒」を限定したものといえるから、特許請求の範囲の減縮を目的とするものであって、新規事項の追加に該当せず、また、実質上特許請求の範囲を拡張し、又は変更するものではない。
　ウの訂正は、請求項２を削除するものであるから、特許請求の範囲の減縮を目的とするものであって、新規事項の追加に該当せず、また、実質上特許請求の範囲を拡張し、又は変更するものではない。
　
　エ、オの訂正は、ウの訂正に伴い、引用関係を整合させるものであるから、明瞭でない記載の釈明を目的とするものであって、新規事項の追加に該当せず、また、実質上特許請求の範囲を拡張し、又は変更するものではない。
　そして、これら訂正は一群の請求項に対して請求されたものである。
（３）小括
　以上のとおりであるから、本件訂正請求による訂正は特許法第１２０条の５第２項第１号及び第３号に掲げる事項を目的とするものであり、かつ、同条第４項、及び、同条第９項において準用する同法第１２６条第４項から第６項までの規定に適合するので、訂正後の請求項〔１〜４〕について訂正を認める。
３．特許異議の申立てについて
（１）本件発明
　本件訂正請求により訂正された訂正請求項１〜４に係る発明（以下「本件発明１」等という。）は、その特許請求の範囲の請求項１〜４に記載された次のとおりのものである。
　【請求項１】
　酸素吸収性樹脂（ただし、共役ジエン重合体環化物を除く。）と、ステアリン酸亜鉛、ステアリン酸コバルト、ナフテン酸コバルト、ナフテン酸亜鉛、アセチルアセトナート亜鉛、アセチルアセトナートコバルトまたはアセチルアセトナート銅である酸素吸収反応触媒とを含む酸素吸収層と、
　ガスバリア性を有するバリア層とを備え、
　前記酸素吸収反応触媒は、前記酸素吸収層に対して重量比率で５００ｐｐｍ以上５０００ｐｐｍ以下含有され、
　前記酸素吸収層は、酸化防止剤を含み、前記酸化防止剤は前記酸素吸収層に対して重量比率で５ｐｐｍ以上６０ｐｐｍ以下含有され、
　前記バリア層は、酸素透過率が２００ｍｌ／（ｍ２・２４ｈ・ａｔｍ）以下であることを特徴とする積層フィルム。
　【請求項２】（削除）
　【請求項３】
　前記酸素吸収性樹脂が、エチレン系不飽和炭化水素ポリマー、主鎖エチレン系不飽和炭化水素ポリマー、ポリエーテルユニットポリマー、エチレンと歪んだ環状アルキレンのコポリマー、ポリアミド樹脂、酸変性ブタジエン、およびヒドロキシアルデヒドポリマーからなる群から選ばれる、請求項１に記載の積層フィルム。
　【請求項４】
　請求項１または３に記載の積層フィルムを備えることを特徴とする包装体。
（２）取消理由の概要
　訂正前の請求項１〜４に係る特許に対して通知した取消理由の要旨は、次のとおりである。
１）本件特許の請求項１〜４に係る発明は、その出願前日本国内または外国において頒布された下記の刊行物に記載された発明又は電気通信回線を通じて公衆に利用可能となった発明であるから、特許法第２９条第１項第３号に該当し、特許を受けることができない。 
２）本件特許の請求項１〜４に係る発明は、その出願前日本国内または外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。 
３）本件特許は、特許請求の範囲の記載が下記の点で不備のため、特許法第３６条第６項第１号に規定する要件を満たしていない。 
  
　　　　　　　　　　　　　　　　記 
（２９条） 
１．特開２００８−７３６２８号公報 
２．国際公開第２００６／０９５６４０号 
３．国際公開第２００７／１２６１５７号 
（１〜３は、甲第１〜３号証に同じ） 
　請求項１〜４に係る発明は、甲１〜３発明のいずれとも同一、又は、いずれかから容易想到である。 
  
（３６条） 
　請求項１〜４に係る発明は、所望の効果を奏さない発明を含み、発明の詳細な説明に記載された範囲を超えている。 
（３）甲号証の記載
　本件発明１で特定する「酸素吸収反応触媒」の含有量について、各証拠の記載は、以下のとおりである。
　甲第１号証（特開２００８−７３６２８号公報）の請求項１には、「酸化促進成分（Ｃ）０．０００１重量％〜１０重量％」と記載されている。
　甲第２号証（国際公開第２００６／０９５６４０号）の段落００４９には、「酸化促進成分（Ｂ）の含有量は、熱可塑性樹脂（Ａ）中に０．０００１重量％以上５重量％以下とするのが好ましい。好ましくは０．００１重量％以上３重量％以下である」と記載されている。
　甲第３号証（国際公開第２００７／１２６１５７号）の請求項１７には、「前記遷移金属塩（Β）が、前記熱可塑性樹脂（Α) の質量を基準として１〜５０，０００ｐｐｍの割合で含有される」と、２４ページ１６〜２２行には、「該樹脂組成物が、後述のように、熱可塑性樹脂（Α) に加えてマトリックス樹脂（Ｅ）およぴ相容化剤（Ｆ）を含有する場合には、該遷移金属塩（Ｂ）は、熱可塑性樹脂（Ａ）、マトリックス樹脂（Ｅ）、および相容化剤（Ｆ）の合計質量を基準として、好適には金属元素換算で１〜５０，０００ｐｐｍの割合で含有される。いずれの場合にも、より好適には、遷移金属塩（Ｂ）は５〜１０，０００ｐｐｍ、さらに好適には１０〜５，０００ｐｐｍの範囲で含有される」と、記載されている。
（４）判断
ア　特許法第２９条
　本件発明１で特定する「酸素吸収反応触媒」の含有量について、本件特許明細書には、以下の記載がある。
「【０００８】
　本願発明者の鋭意検討の結果、上記構成において、酸素吸収反応触媒を酸素吸収層に対して重量比率で１００ｐｐｍ以上５０００ｐｐｍ以下酸素吸収層に含有させ、酸化防止剤を酸素吸収層に対して重量比率で０ｐｐｍ以上１７０ｐｐｍ以下酸素吸収層に含有させることにより、上記積層フィルムの酸素吸収量が多くなるとともに、積層フィルムの外観の低下が抑制されることが明らかとなった。」
「【００１２】
　本願発明者の鋭意検討の結果、上記構成において、酸素吸収反応触媒を酸素吸収層に対して重量比率で５００ｐｐｍ以上５０００ｐｐｍ以下酸素吸収層に含有させ、酸化防止剤を酸素吸収層に対して重量比率で０ｐｐｍ以上１２０ｐｐｍ以下酸素吸収層に含有させることにより、初期（密封した状態で保管を開始して１日目）の積層フィルムの酸素吸収量が多くなるとともに、積層フィルムの外観の低下が抑制されることが明らかとなった。」
「【０１１８】
　実施例１〜２６に係る包装体２００は、比較例１〜１０に係る包装体に比べて、酸素吸収量が多く、高い酸素吸収性を有していた。また、実施例１〜２６に係る包装体２００の外観は色味がついておらず良好であったのに対して、比較例８〜１０に係る包装体の外観は色味がついており不良であった。」
　以上から、本件発明１で特定する「酸素吸収反応触媒」の含有量を「５００ｐｐｍ以上５０００ｐｐｍ以下」と特定した技術的意義は、「外観の低下が抑制される」ことである。
　
  本件発明１で特定する「酸素吸収反応触媒」の含有量について、各証拠記載のものは、以下のとおりである。
　甲第１号証：０．０００１重量％〜１０重量％、すなわち、１〜１０００００ｐｐｍ
　甲第２号証：０．０００１重量％〜５重量％、すなわち、１〜５００００ｐｐｍ
　甲第３号証：１〜５００００ｐｐｍ
　「酸素吸収反応触媒」の含有量について、本件発明１と各証拠記載のものとを対比すると、各証拠記載のものは、いずれも、本件発明１よりも広い範囲である。
　また、各証拠には、「外観の低下が抑制される」ことについて、記載も示唆もない。
　本件発明１は、「酸素吸収反応触媒」の含有量を「５００ｐｐｍ以上５０００ｐｐｍ以下」と特定することにより、「外観の低下が抑制される」という効果を奏するものである。
　よって、本件発明１は、各証拠記載の発明であるとも、各証拠記載の発明から容易に発明をすることができたとすることもできない。
　本件発明３、４は、本件発明１に従属し、本件発明１の発明特定事項を全て含むから、同様の理由により、各証拠記載の発明であるとも、各証拠記載の発明から容易に発明をすることができたとすることもできない。
　申立人は、本件発明１の範囲が各証拠記載の発明の範囲に含まれるから、同一又は容易と主張する。
　しかし、本件発明１と、各証拠記載の発明とは、技術的意義が異なるから、同一とは言えず、容易とする根拠もない。
　申立人は、甲第３号証の実施例１２．１に実施例９．１を適用し、容易とも主張する。しかし、異なる両実施例を組み合わせる動機は明らかでなく、申立人の主張は根拠がない。
イ　特許法第３６条第６項第１号
　本件訂正により、本件発明１の実施例は、段落０１１７、表１の実施例５、８〜１２、１６、１９、２２、２４〜２５、である。
　これらは、いずれも「酸素吸収量」が他の例よりも多く、「外観」は「○」である。
　よって、本件発明１と、その効果とは整合しており、発明の詳細な説明に記載されたものと言える。本件発明３、４についても、同様である。
　申立人は、実施例１５と１６の「酸素吸収量」の「１日目」の値が同じであることをもって、効果を奏さない旨、主張する。
　しかし、「３日目」、「７日目」の値は、実施例１６が上回り、効果を奏していることから、申立人の主張は根拠がない。
４．むすび
　以上のとおりであるから、取消理由通知に記載した取消理由及び特許異議申立書に記載した特許異議申立理由によっては、本件請求項１、３〜４に係る特許を取り消すことはできない。
　また、他に本件請求項１、３〜４に係る特許を取り消すべき理由を発見しない。
　本件請求項２に係る特許は、訂正により削除されたため、対象となる請求項が存在しない。
　よって、結論のとおり決定する。
【異議決定日】
平成２９年３月２７日（２０１７．３．２７）
【訂正の要旨】
審決（決定）の【理由】欄参照。
（５７）【特許請求の範囲】
　【請求項１】
　酸素吸収性樹脂（ただし、共役ジエン重合体環化物を除く。）と、
ステアリン酸亜鉛、ステアリン酸コバルト、ナフテン酸コバルト、ナフテン酸亜鉛、アセチルアセトナート亜鉛、アセチルアセトナートコバルトまたはアセチルアセトナート銅である
　ガスバリア性を有するバリア層とを備え、
　前記酸素吸収反応触媒は、前記酸素吸収層に対して重量比率で
５００ｐｐｍ
　前記酸素吸収層は、酸化防止剤を含み、前記酸化防止剤は前記酸素吸収層に対して重量比率で５ｐｐｍ以上６０ｐｐｍ以下含有され、
　前記バリア層は、酸素透過率が２００ｍｌ／（ｍ２・２４ｈ・ａｔｍ）以下であることを特徴とする積層フィルム。
　【請求項２】
（削除）
　【請求項３】
　前記酸素吸収性樹脂が、エチレン系不飽和炭化水素ポリマー、主鎖エチレン系不飽和炭化水素ポリマー、ポリエーテルユニットポリマー、エチレンと歪んだ環状アルキレンのコポリマー、ポリアミド樹脂、酸変性ブタジエン、およびヒドロキシアルデヒドポリマーからなる群から選ばれる、請求項
１に
　【請求項４】
　請求項１
または３に